(57)【要約】【課題】  仮設事務所の脱着作業を容易化し、仮設事務所の容積を拡大し、不陸な地面であっても円滑に設置できる。【解決手段】  脱着式仮設事務所１は、後部が開口した主箱体２と、前部が開口した拡張部箱体３と、から構成され、主箱体２の底板２０に前脚３Ａと、ローラ付後脚４と、を備え、主箱体２の前板２１に固定される掛合部材５を備え、主箱体２の後端部の下部にレール状部材６を結合し、拡張部箱体３が長手方向後方へスライドするよう、主箱体２と拡張部箱体３とにガイド部材７を設け、コンテナ脱着装置付車両１００に脱着式仮設事務所１が積載されて移動するとき拡張部箱体３が主箱体２内に収納されレール状部材６が起立し、コンテナ脱着装置付車両１００から降ろされ地面に設置されるとき、レール状部材６を倒伏させ、横方向にし、拡張部箱体３が長手方向後方へとスライドし、レール状部材６上を移動する。【選択図】  図１
2012072639.tif 000002
【特許請求の範囲】
【請求項１】
後部が開口した主箱体と、
前部が開口した拡張部箱体と、から構成され、
前記主箱体の底板に前脚と、ローラ付後脚と、を備え、
前記主箱体の前板に固定される掛合部材を備え、
前記主箱体の後端部の下部に連結が可能なレール状部材を備え、
前記拡張部箱体が長手方向後方へスライドするよう、前記主箱体と前記拡張部箱体とにガイド部材を設け、
前記主箱体と前記拡張部箱体とがコンテナ脱着装置付車両に対し積み下ろし可能に構成され、前記コンテナ脱着装置付車両から前記主箱体と前記拡張部箱体とが降ろされて設置されるときには、前記拡張部箱体が長手方向後方へスライドしながら、前記レール状部材上を移動することにより、容積を拡張することを特徴とする脱着式仮設事務所。
【請求項２】
一側部が開口した主箱体と、
一側部が開口した拡張部箱体と、から構成され、
前記主箱体の底板に前脚と、ローラ付後脚と、を備え、
前記主箱体の前板に固定される掛合部材を備え、
前記主箱体の側端部の下部に連結が可能なレール状部材を備え、
前記拡張部箱体が側方向へスライドするよう、前記主箱体と前記拡張部箱体とにガイド部材を設け、
前記主箱体と前記拡張部箱体とがコンテナ脱着装置付車両に対し積み下ろし可能に構成され、前記コンテナ脱着装置付車両から前記主箱体と前記拡張部箱体とが降ろされて設置されるときには、前記拡張部箱体が側方向へスライドしながら、前記レール状部材上を移動することにより、容積を拡張することを特徴とする脱着式仮設事務所。
【発明の詳細な説明】
【技術分野】
【０００１】
本発明は、コンテナ脱着装置付車両を利用して移動可能な脱着式仮設事務所に関する。
【背景技術】
【０００２】
特許文献１に記載の考案は、コンテナ脱着装置付車両に積載する仮設住宅において、拡張部箱体は移動時には主箱体内に収納されていて、設置時には極めて容易に前記主箱体から引き出して、荷台の側方へと横スライドでき内部空間を広く確保できて、設置するのにも撤去するのにも手間が掛からずに、仮設事務所等として設置できることを目的とし、コンテナ脱着装置付車両Ｔの荷台に積載される主箱体２と、移動時には前記主箱体２内に収納されていて、設置時にはレールと車輪により荷台の側方へと横スライドする拡張部箱体３とから構成している。
【０００３】
特許文献２に記載の発明は、低コスト、簡素な構造で移動性を高めつつ、メンテナンスを改善するコンテナハウスを提供するものであり、コンテナハウス１は、事務所として利用するものであり、少なくとも、底板２と、底板２に固定される前板３と、前脚４と、ローラ５を備える後脚６と、前板３に固定される掛合部材７と、を備えてコンテナ脱着装置付車両に積み降ろし自在に構成される鉄鋼製のコンテナ８とを備え、コンテナハウス１は、底板２上及び前板３の裏面に固定されるハウス９を備え、ハウス９は、窓１０を設けたハウジング１１と、ハウジング１１の後面に形成される観音開き式の開閉扉１２と、開閉扉１２を開閉させるヒンジ１３と、開閉扉１２をロックするロック装置１４と、底板２の裏面には、一対のレール２３と、複数のリブ２４と、走行時にコンテナ８を自動車に固縛する固縛装置とを備えるものである。
【先行技術文献】
【特許文献】
【０００４】
【特許文献１】実開平６−８３４７３号公報
【特許文献２】特開２００７−２７７８４０号公報
【発明の概要】
【発明が解決しようとする課題】
【０００５】
しかしながら、従来の特許文献１の考案は、コンテナ脱着装置付車両への積み下ろしが面倒であり不便であった。また、歩行、風などにより床が揺れるなど不安定であった。さらに、重心のバランスを確保するため、拡張容積には上限があった。
【０００６】
また、一方、特許文献２の発明は、コンテナ脱着装置付車両への積み下ろしは便利であるが、コンテナ脱着装置付車両を利用するため、道路交通法等の規定によって、コンテナハウスの大きさの上限が規定されている。したがって、既定の容量以下に制限されるため、容積が拡張できず、事務所等として利用する際に容積が小さく、実用面で課題があった。さらに容積拡張時の作業が面倒であった。
【０００７】
そこで、仮設事務所の脱着作業を容易化し、かつ、仮設事務所の容積を拡大することを課題とする。
【課題を解決するための手段】
【０００８】
上記課題に鑑み、請求項１の発明は、後部が開口した主箱体と、前部が開口した拡張部箱体と、から構成され、前記主箱体の底板に前脚と、ローラ付後脚と、を備え、前記主箱体の前板に固定される掛合部材を備え、前記主箱体の後端部の下部に連結が可能なレール状部材を備え、前記拡張部箱体が長手方向後方へスライドするよう、前記主箱体と前記拡張部箱体とにガイド部材を設け、前記主箱体と前記拡張部箱体とがコンテナ脱着装置付車両に対し積み下ろし可能に構成され、前記コンテナ脱着装置付車両から前記主箱体と前記拡張部箱体とが降ろされて設置されるときには、前記拡張部箱体が長手方向後方へスライドしながら、前記レール状部材上を移動することにより、容積を拡張することを特徴とする脱着式仮設事務所である。さらに、請求項２の発明は、一側部が開口した主箱体と、一側部が開口した拡張部箱体と、から構成され、前記主箱体の底板に前脚と、ローラ付後脚と、を備え、前記主箱体の前板に固定される掛合部材を備え、前記主箱体の側端部の下部に連結が可能なレール状部材を備え、前記拡張部箱体が側方向へスライドするよう、前記主箱体と前記拡張部箱体とにガイド部材を設け、前記主箱体と前記拡張部箱体とがコンテナ脱着装置付車両に対し積み下ろし可能に構成され、前記コンテナ脱着装置付車両から前記主箱体と前記拡張部箱体とが降ろされて設置されるときには、前記拡張部箱体が側方向へスライドしながら、前記レール状部材上を移動することにより、容積を拡張することを特徴とする脱着式仮設事務所である。
【０００９】
ここでいう「レール状部材」は、その上で拡張部箱体が前後に移動できる機能を備えたものであれば良く、細長い剛性部材の他に、複数のローラが整列したもの、あるいは、無端状に配置したローラを備えたコンベアなどでもよい。配置する個数は単数、複数いずれでもよい。また、例えば、ハンドル又はモータ駆動で駆動するコンベアでもよい。コンベアは手動、チェーン駆動いずれでもよい。
【発明の効果】
【００１０】
本発明は以上説明したように構成されているので、事務所の拡張容積を一層拡大しても重心バランスを保つことができ、かつ、仮設事務所のコンテナ脱着装置付車両への脱着作業を容易化できる。容積拡張時の作業が容易である。
【図面の簡単な説明】
【００１１】
【図１】本発明の一実施形態の脱着式仮設事務所１の正面図である。
【図２】脱着式仮設事務所１の左側面図である。
【図３】脱着式仮設事務所１の右側面図である。
【図４】脱着式仮設事務所１の内部構造を示す右側面断面図である。
【図５】脱着式仮設事務所１の図４の部分拡大図である。
【図６】脱着式仮設事務所１の底面図である。
【図７】コンテナ脱着装置付車両１００に脱着式仮設事務所１が脱着される様子を示す説明図である。
【図８】本発明の別の実施形態の脱着式仮設事務所１０１の平面図である。
【図９】脱着式仮設事務所１０１の右側面図である。
【図１０】脱着式仮設事務所１０１の脱着式レールを取り付けた状態を示す右側面図である。
【図１１】脱着式仮設事務所１０１の脱着式レールを取り付けた状態を示す平面図である。
【図１２】脱着式仮設事務所１の拡張時の平面図である。
【図１３】脱着式仮設事務所１の拡張時の右側面図である。
【図１４】脱着式仮設事務所２０１の脱着式レールを取り付けた状態を示す右側面図である。
【図１５】脱着式仮設事務所２０１の拡張時の右側面図である。
【図１６】脱着式仮設事務所２０１の脱着式レールを取り付けた状態を示す平面図である。
【図１７】脱着式仮設事務所２０１の拡張時の平面図である。
【発明を実施するための形態】
【００１２】
以下に、本発明の好適な実施形態である脱着式仮設事務所１について図面を参照して説明する。
【００１３】
この脱着式仮設事務所１は、後部が開口した主箱体２と、前部が開口した拡張部箱体３と、から構成されている。そして、主箱体２の底板２０に前脚３Ａと、ローラ付後脚４と、を備え、主箱体２の前板２１に固定される掛合部材５を備えている。図４に示す通り主箱体２が開放面２６、拡張部箱体３が開放面３６を備える。前脚３Ａがジャッキを備え、上下に伸縮自在とする構成である。これにより主箱体２、拡張部箱体３、底板２０等の傾斜角度を変更できるようになる。
【００１４】
主箱体２の後端部の下部に倒伏と起立が可能にレール状部材６を結合し、拡張部箱体３が長手方向後方へスライドするよう、主箱体２と拡張部箱体３とにガイド部材７を設けている。
【００１５】
そして、コンテナ脱着装置付車両１００に脱着式仮設事務所１が積載されて移動するときには拡張部箱体３が主箱体２内に収納されレール状部材６が起立している。一方、コンテナ脱着装置付車両１００から降ろされて地面に設置されるときには、レール状部材６を倒伏させ、横方向にし、拡張部箱体３が長手方向後方へとスライドするとともに、レール状部材６上を移動することを特徴とする。以下、形状、構造等を詳細に説明する。
【００１６】
主箱体２は底板２０、前板２１、２枚の側板２２，２３、天板２４を備えている。
【００１７】
拡張部箱体３は底板３０、後板３１、２枚の側板３２，３３、天板３４を備えている。また円滑なスライドを行うため、ローラ３７を設けている。
【００１８】
掛合部材５の下部には支持構造体８を設けてある。支持構造体8の下部にある底板２０に前脚３Ａが固定される。
【００１９】
レール状部材６は図１、３に示す通り、ヒンジ９で主箱体２の底板２０に連結されている。レール状部材６は、複数個のローラ６０が横方向に連設されているローラ部６１と、このローラ部６１に連結する脚部６２を備えている。レール状部材６は起立した状態において、図示は略すが、拡張部箱体３の後板３１にロックできるようになっている。レール状部材６はこれに限定されず、同様の機能を達成できる構造であればよく、例えば、ハンドル又はモータ駆動で駆動するコンベアでもよい。コンベアはチェーン駆動が好ましい。レール状部材６は、拡張部箱体３の引き出し、収容の際の安定性のため、左右一対設けてある。なお、前記レール状部材６は底板２０に脱着自在な構造でもよく、コンテナ脱着装置付車両１００から降ろした場合には、底板２０に連結させ、積載する場合には、底板２０から取り外しても良い。
【００２０】
ガイド部材７は、図４，５に示す通り、拡張部箱体３の底板３０の裏面に形成したレール７０と、レール７０の下部に設けたガイドバー７１と、主箱体２の底板２０の上面に設けた一対のレール７２と、を備えたものである。レール７２はガイドバー７１の左右の動きを規制するものである。ガイド部材７はローラ３７と干渉しないようにするために相違する領域に、ずらして配置されている。なお、ガイドバー７１に代えて、ローラ、突起等、同様の機能を備えたものでもよい。
【００２１】
主箱体２の側板２３に窓１０、前板２１に換気扇１１、拡張部箱体３の後板３１にドア１２を備えている。
【００２２】
さらに、底板２０には固縛部１３を有し、コンテナ脱着装置付車両１００に脱着する場合に、仮設事務所１をコンテナ脱着装置付車両１００に固縛することができる。また、底板２０を円滑に案内する案内板１４を備えている。底板２０に補強用のリブ１５を備えている。
【００２３】
なお、図示は略すが、主箱体２の後端面と拡張部箱体３の前端面とは、夫々の当接部にパッキング材が付設されており、主箱体２及び拡張部箱体３はそれぞれパッキング材に圧接している。このため、移動中で拡張部箱体３を主箱体２内に収納しているときも、設置中で拡張部箱体３を主箱体２内から引き出しているときも、風雨に対して水密構造となっている。
【００２４】
実施形態の動作、作用効果を説明する。コンテナ脱着装置付車両１００に脱着式仮設事務所１が積載されて移動するときには、図７に示す通り、掛合部５にフックが掛けられて、アームによって、脱着式仮設事務所１を長手方向に移動させて装着させる。このとき、拡張部箱体３は主箱体２内に収納されている。レール状部材６を起立させ後板３１にロックさせてもよいし、底板２０から取り外してもよい。拡張部箱体３が収納されているので、装着作業は円滑に簡単に行うことができる。
【００２５】
一方、コンテナ脱着装置付車両１００から降ろされて地面に設置されるときには、アームによって脱着式仮設事務所１を長手方向に移動させてコンテナ脱着装置付車両１００から離脱させる。このときも拡張部箱体３が収納されているので、離脱作業は、円滑に簡単に行うことができる。そして、レール状部材６を倒伏させ、横方向にし、地面に設置する。レール状部材６が脱着式の場合には取り付ける。地面に凹凸あるいは傾斜があっても、脚部１６２の高さを調整できる。レール状部材６により、重心バランスを保持しつつ、円滑に地面に設置できる。つぎに、拡張部箱体３が長手方向後方へとスライドするとともに、レール状部材６のローラ６０上を移動する。拡張部箱体３は主箱体２から引き出された後、レール状部材６の上に支持される。このように拡張部箱体３がレール状部材６上を移動するので、脱着式仮設事務所１の容積拡張が、重心バランスを保ちながら、円滑かつ容易にできる。レール状部材６は脚部６２によって地面に設置されているので、脱着式仮設事務所１の重心位置も問題ない。
【００２６】
なお、本発明の実施の形態は、上記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。例えば、レール状部材６を底板２０に脱着自在な構造とし、コンテナ脱着装置付車両１００から降ろした場合に、底板２０に連結させ、コンテナ脱着装置付車両１００に搭載する場合に、底板２０から外して、脱着式仮設事務所１内に収容しておいてもよい。
【００２７】
以下に、本発明の好適な別の実施形態である脱着式仮設事務所１０１について図面を参照して説明する。
【００２８】
この脱着式仮設事務所１０１は、側部が開口した主箱体１０２と、一側部が開口した拡張部箱体１０３と、から構成されている。そして、主箱体１０２の底板１２０に前脚１０３Ａ（図示せず）と、ローラ付後脚１０４と、を備え、主箱体１０２の前板１２１に固定される掛合部材１０５を備えている。
【００２９】
主箱体１０２の側部の下部にレール状部材１０６を結合し、拡張部箱体１０３が短手方向側方へスライドするよう、主箱体１０２と拡張部箱体１０３とにスライドのためのガイド部材１０７を設けている。
【００３０】
そして、コンテナ脱着装置付車両１００に脱着式仮設事務所１０１が積載されて移動するときには、拡張部箱体１０３が主箱体１０２内に収納される。また、レール状部材１０６も取り外して、脱着式仮設事務所１０１に収容して移動させるか、または、別途、運搬する。
【００３１】
一方、脱着式仮設事務所１０１がコンテナ脱着装置付車両１００から降ろされて地面に設置されるときには、レール状部材１０６を取り付け、拡張部箱体１０３が側方向へスライドするとともに、レール状部材１０６上を移動することを特徴とする。以下、形状、構造等を詳細に説明する。
【００３２】
主箱体１０２は、底板１２０、前板１２１、側板１２２、天板１２４、後板１２５、開放面１２６を備えている。天板１２４の上面には補強部材１２８が設けてある。
【００３３】
拡張部箱体１０３は底板１３０、後板１３１、側板１３２、天板１３４、前板１３５、開放面１３６を備えている。天板１３４の上面、後板１３１の側面には補強部材１３８が設けてある。
【００３４】
掛合部材１０５の下部で底板１２０に前脚（図示略）が固定される。
【００３５】
レール状部材１０６は、脱着式であり、主箱体１０２の底板１２０に取り付けて連結される（図１０参照）。レール状部材１０６にフック１６５を設け、主箱体１０２の底板１２０の穴に係合させてもよい。レール状部材１０６は、レール１６０と、レール１６０の上部に設けて、スライドを円滑にするローラ１６１と、レール１６０に連結し支持する脚部１６２を備えている。レール状部材１０６はこれに限定されず、同様の機能を達成できる構造であればよく、例えば、ハンドル又はモータで駆動するコンベア、ローラ構造物等でもよい。コンベアであればチェーン駆動が好ましい。レール状部材１０６は、拡張部箱体１０３の引き出し、収容の際の安定性のため、間隔を設けて複数本、例えばここでは一対が設けてある。
【００３６】
ガイド部材１０７は、図１０、図１３に示す通り、拡張部箱体１０３の底板１３０の裏面に形成したスライドレール１７０と、スライドレール１７０を誘導する、主箱体１０２の底板１２０の上面に形成されたローラ１７３と、を備えている。スライドする場合に、スライドレール１７０の動きを規制するガイド部材を主箱体１０２の底板１２０の上面に設けてもよい。
【００３７】
主箱体１０２又は拡張部箱体１０３に適宜、窓、換気扇、ドアを備えることが好ましい。
【００３８】
さらに、底板１２０に、コンテナ脱着装置付車両１００に脱着する場合に、仮設事務所１０１をコンテナ脱着装置付車両１００に固縛する固縛部（図示略）、底板１２０を円滑に案内する案内板１１４を備えている。
【００３９】
なお、図示は略すが、主箱体１０２の開口側端面と拡張部箱体１０３の開口側端面とは、夫々の当接部にパッキング材が付設されており、主箱体１０２及び拡張部箱体３は、それぞれがパッキング材に圧接している。このため、移動中で拡張部箱体１０３を主箱体１０２内に収納しているときも、あるいは、拡張部箱体１０３を主箱体１０２内から引き出しているときも、風雨に対して水密構造となっている。
【００４０】
実施形態の動作、作用効果を説明する。コンテナ脱着装置付車両１００に脱着式仮設事務所１０１が積載されて移動するときには、図７に示す通り、掛合部１０５にフックが掛けられて、アームによって、脱着式仮設事務所１０１を長手方向に移動させて装着させる。このとき、レール状部材１０６は取り外され、拡張部箱体１０３は主箱体１０２内に収納されているので、装着作業は円滑に簡単に行うことができる。
【００４１】
一方、コンテナ脱着装置付車両１００から降ろされて地面に設置されるときには、アームによって脱着式仮設事務所１０１を長手方向に移動させてコンテナ脱着装置付車両１００から離脱させる。このときも、拡張部箱体１０３は主箱体１０２に収容されているので、離脱作業は円滑に簡単に行うことができる。そして、脱着式仮設事務所１０１を地面に設置する。地面に凹凸あるいは傾斜があっても、脚部１６２の高さを調整できる。レール状部材１０６により重心バランスを保持できる。つぎに、拡張部箱体１０３が側方向へとスライドするとともに、レール状部材１０６のローラ１６１上を移動する。拡張部箱体１０３は主箱体１０２から引き出された後、レール状部材１０６の上に支持される。このように、拡張部箱体１０３がレール状部材１０６上を移動するので、脱着式仮設事務所１０１の容積拡張を重心バランスが保たれながら円滑かつ容易にできる。レール状部材１０６は脚部１６２によって地面に設置されるので、脱着式仮設事務所１の重心位置も問題ない。
【００４２】
なお、本発明の実施の形態は、上記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。たとえば、主箱体２、１０２または拡張部箱体３、１０３に簡易トイレを設けることができる。これにより、外部に設ける必要がなくなり、室内に居たままで用を足すことができ、大変便利である。また、糞尿を内部に貯留するため、環境面でも大変良好である。なお、簡易トイレを拡張部箱体３，１０３に設けることができるので、糞尿の取り出しに便利である。
【００４３】
上記の脱着式仮設事務所１０１の変形の実施形態である脱着式仮設事務所２０１について図面を参照して説明する。脱着式仮設事務所２０１の各部については、特に示さない限り脱着式仮設事務所１０１の説明を援用し、符合を１００番台から２００番台に変更する。
【００４４】
脱着式仮設事務所１０１においては、主箱体１０２の底板１２０の上面に形成されたローラ１７３と、レール状部材１０６に形成されたローラ１６１とを、拡張部箱体１０３のスライドを円滑にするために設けていたところ、脱着式仮設事務所２０１では、これらに対応するローラ２３７を拡張部箱体２０３の底板２３０の下面に設けたものである。拡張部箱体１０３の底板１３０の裏面に形成されていたスライドレール１７０に対応するスライドレール２７０は、主箱体２０２の底板２２０の上面に形成される。
【００４５】
脱着式仮設事務所２０１における拡張部箱体２０３の引出しは、ローラ２３７の回転により拡張部箱体２０３の荷重を主箱体２０２のスライドレール２７０および取り付けられたレール２６０で支えながらスライド移動することにより行う。その他の脱着式仮設事務所２０１の動作、作用効果は脱着式仮設事務所１０１と同様である。
【００４６】
なお、本発明の実施の形態は、上記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。
【符号の説明】
【００４７】
１，１０１・・・脱着式仮設事務所
２，１０２・・・主箱体
３，１０３・・・拡張部箱体
３Ａ・・・前脚
４，１０４・・・ローラ付後脚
５，１０５・・・掛合部材
６，１０６・・・レール状部材
７，１０７・・・ガイド部材
８・・・支持構造体
９・・・ヒンジ
１０・・・窓
１１・・・換気扇
１２・・・ドア
１３・・・固縛部
１４，１１４・・・案内板
１５，１１５・・・リブ
２０，１２０・・・底板
２１，１２１・・・前板
２２，２３，１２２・・・側板
２４，１２４・・・天板
２６，３６・・・開放面
３０，１３０・・・底板
３１，１３１・・・後板
３２，３３，１３２・・・側板
３４，１３４・・・天板
６０・・・ローラ
６１・・・ローラ部
６２・・・脚部
７０・・・レール
７１・・・ガイドバー
７２・・・レール
１００・・・コンテナ脱着装置付車両
【図１】
2012072639.tif 000003
【図２】
2012072639.tif 000004
【図３】
2012072639.tif 000005
【図４】
2012072639.tif 000006
【図５】
2012072639.tif 000007
【図６】
2012072639.tif 000008
【図７】
2012072639.tif 000009
【図８】
2012072639.tif 000010
【図９】
2012072639.tif 000011
【図１０】
2012072639.tif 000012
【図１１】
2012072639.tif 000013
【図１２】
2012072639.tif 000014
【図１３】
2012072639.tif 000015
【図１４】
2012072639.tif 000016
【図１５】
2012072639.tif 000017
【図１６】
2012072639.tif 000018
【図１７】
2012072639.tif 000019